(57)【要約】【課題】携帯型電子情報機器の液晶画面の情報を持ち主以外のユーザに見せることを容易にした液晶表示システムを提供する。【解決手段】携帯電話１０は、液晶パネル１２から分離された状態のバックライトユニット２０をそのケース２１とともに差込口５１に差込むことによって、ホルダ５０に装着される。この状態でホルダ５０のランプ５５を発光させると、ランプ５５は、携帯電話１０のバックライト３１の代わりに、液晶パネル１２の背面側から光を出射する。液晶パネル１２を透過した光は、透過型スクリーン３に投影される。これにより、持ち主４以外のユーザ２は、液晶画面１２Ａの情報を透過型スクリーン３で見ることができる。以上より、携帯電話１０の液晶画面１２Ａの情報を持ち主４以外のユーザ２に見せることを容易にすることができる。【選択図】図５
2007286421.tif 000002
【特許請求の範囲】
【請求項１】
液晶パネルと、バックライトが発光した光を該液晶パネルの背面側から出射するバックライトユニットと、該液晶パネルの画像制御を行う画像制御手段と、を有する携帯電話と、
前記携帯電話を装着可能なホルダと、を備える液晶表示システムにおいて、
前記携帯電話の前記液晶パネルと前記バックライトユニットとは、それぞれを保持しているケースの端部を軸にして互いに分離し、
前記ホルダは、前記液晶パネルから分離された状態の前記バックライトユニットが差込まれる差込口と、前記携帯電話の前記バックライトユニットが前記差込口に差込まれた状態で、該携帯電話の前記液晶パネルの背面付近に位置するランプと、前記液晶パネルと前記ランプとの間に位置するレンズと、該レンズを該ランプに接離する方向に移動させる移動手段と、を有し、
前記携帯電話は、前記液晶パネルの画像を反転させるためのキーを有する操作手段を有し、
前記画像制御手段は、前記操作手段でキーが操作されると、前記液晶パネルの画像を左右反転させる制御を行い、
前記ランプは、前記携帯電話の前記バックライトユニットが前記差込口に差込まれた状態で、前記移動手段によって移動させられた前記レンズを介して、前記液晶パネルの背面側から光を出射する液晶表示システム。
【請求項２】
液晶パネルと、バックライトが発光した光を該液晶パネルの背面側から出射するバックライトユニットと、を有する携帯型電子情報機器と、
前記携帯型電子情報機器を装着可能なホルダと、を備える液晶表示システムにおいて、
前記携帯型電子情報機器の前記液晶パネルと前記バックライトユニットとは、それぞれを保持しているケースの端部を軸にして互いに分離し、
前記ホルダは、
前記液晶パネルから分離された状態の前記バックライトユニットが差込まれる差込口と、
前記携帯型電子情報機器の前記バックライトユニットが前記差込口に差込まれた状態で、該携帯型電子情報機器の前記液晶パネルの背面付近に位置し、前記液晶パネルの背面側から光を出射するランプと、を有する液晶表示システム。
【請求項３】
前記ホルダは、前記携帯型電子情報機器の前記バックライトユニットが前記差込口に差込まれた状態で、前記液晶パネルと前記ランプとの間に位置するレンズと、該レンズを該ランプに接離する方向に移動させる移動手段と、を有し、
前記ランプは、前記携帯型電子情報機器の前記バックライトユニットが前記差込口に差込まれた状態で、前記移動手段によって移動させられた前記レンズを介して、前記液晶パネルの背面側から光を出射する請求項２に記載の液晶表示システム。
【請求項４】
前記携帯型電子情報機器は、前記液晶パネルの画像制御を行う画像制御手段と、該液晶パネルの画像を反転させるためのキーを有する操作手段と、を有し、
前記画像制御手段は、前記操作手段でキーが操作されると、前記液晶パネルの画像を左右反転させる制御を行う請求項２又は３に記載の液晶表示システム。
【請求項５】
液晶パネルと、
バックライトが発光した光を前記液晶パネルの背面側から出射するバックライトユニットと、を備え、ホルダに装着可能な携帯電話において、
前記液晶パネルを保持するケースの端部と前記バックライトユニットを保持するケースの端部とをヒンジ結合し、その結合部分を軸にして両者を分離するヒンジ部を備える携帯電話。
【発明の詳細な説明】
【技術分野】
【０００１】
本発明は、携帯電話やＰＤＡ（Personal  Digital  Assistants）などの表示画面をスクリーンや壁などに投影するのに好適な液晶表示システム、およびこの液晶表示システムで適用される携帯電話に関するものである。
【背景技術】
【０００２】
従来、小型化および軽量化によって持ち運びに便利な、携帯電話やＰＤＡなどの携帯型電子情報機器が実用化され、一般に普及している。
【０００３】
このような携帯型電子情報機器としては、電磁波を利用し、無線基地局を介して他の装置と通信可能なものや、テレビジョン（ＴＶ）放送などのデジタル放送が受信可能なものや、写真撮影が可能なもの等が各種考案されている。そして、携帯型電子情報機器は、情報を表示する液晶画面を備えるものが一般的である。
【０００４】
上記従来の携帯型電子情報機器において、ユーザは、撮影した写真や作成した文章などの情報をこの液晶画面で見ることができた。
一方、液晶画面に光を出射して、その反射光をスクリーンに投影する携帯電話が提案されている（特許文献１参照）。
【特許文献１】特開２００３−３０９６３８公報
【発明の開示】
【発明が解決しようとする課題】
【０００５】
しかしながら、従来の携帯型電子情報機器において、上記液晶画面はパソコンで使用するモニタ画面などと比べて非常に小型である。さらに、液晶画面の視野角は、ＣＲＴ（Cathode  Ray  Tube）と比べて狭い。
そのため、携帯型電子情報機器の持ち主が液晶画面を該持ち主以外のユーザに見せる際、その画面サイズでは、そのユーザが液晶画面の情報を見難かった。特に、そのユーザが複数人である場合は、液晶画面の情報を一層見難かった。従って、従来の携帯型電子情報機器においては、液晶画面の情報を持ち主以外のユーザに見せることが困難であるという問題があった。
【０００６】
本発明はこのような従来の課題を解決しようとするものであり、携帯型電子情報機器の液晶画面の情報を持ち主以外のユーザに見せることを容易にした液晶表示システムを提供することを目的とする。
【課題を解決するための手段】
【０００７】
本発明の液晶表示システムは、前記課題を解決するために以下の構成を備えている。
【０００８】
（１）液晶パネルと、バックライトが発光した光を該液晶パネルの背面側から出射するバックライトユニットと、を有する携帯型電子情報機器と、
前記携帯型電子情報機器を装着可能なホルダと、を備える液晶表示システムにおいて、
前記携帯型電子情報機器の前記液晶パネルと前記バックライトユニットとは、それぞれを保持しているケースの端部を軸にして互いに分離し、
前記ホルダは、
前記液晶パネルから分離された状態の前記バックライトユニットが差込まれる差込口と、
前記携帯型電子情報機器の前記バックライトユニットが前記差込口に差込まれた状態で、該携帯型電子情報機器の前記液晶パネルの背面付近に位置し、前記液晶パネルの背面側から光を出射するランプと、を有する。
【０００９】
この構成において、携帯型電子情報機器は、例えば携帯電話やＰＤＡである。また、ホルダは、例えばプロジェクタ、携帯電話の充電器、又は携帯電話ホルダである。ホルダは、携帯型電子情報機器と同様、小型化および軽量化によって持ち運びに便利なものが好ましい。ホルダのランプは、バックライトよりも光量の多いものが好ましい。ホルダのランプは、例えばプロジェクタ用のランプである。
この構成では、携帯型電子情報機器の持ち主が液晶画面の情報を該持ち主以外のユーザに見せる場面を想定している。例えば、持ち主が外出先において液晶画面の情報を用いたプレゼンテーションを顧客に対して行う場面である。
携帯型電子情報機器は、液晶パネルを保持するケースと、バックライトユニットを保持するケースと、を備える。これらのケースの端部は、例えばヒンジ結合している。このため、これらのケースは、その端部を軸にして互いに分離し、これらのケースに保持されている液晶パネル及びバックライトユニットも、その端部を軸にして互いに分離する。
携帯型電子情報機器は、液晶パネルから分離された状態のバックライトユニットを差込口に差込むことによって、ホルダに装着される。また、差込口は、差込まれた状態で該バックライトユニットの位置を固定する。
この状態でホルダのランプを発光させると、該ランプは、携帯型電子情報機器のバックライトユニットの代わりに、液晶パネルの背面側から光を出射する。液晶パネルを透過した光は、例えば透過型スクリーンに投影される。これにより、持ち主以外のユーザは、液晶画面の情報を例えば透過型スクリーンで見ることができる。
以上より、携帯型電子情報機器の液晶画面の情報を持ち主以外のユーザに見せることを容易にすることができる。また、ユーザが画面を見ている際、差込口が差込まれた状態でバックライトユニットの位置を固定しているので、例えば透過型スクリーンに投影された液晶画面の情報がぶれることを防止できる。
【００１０】
（２）前記ホルダは、前記携帯型電子情報機器の前記バックライトユニットが前記差込口に差込まれた状態で、前記液晶パネルと前記ランプとの間に位置するレンズと、該レンズを該ランプに接離する方向に移動させる移動手段と、を有し、
前記ランプは、前記携帯型電子情報機器の前記バックライトユニットが前記差込口に差込まれた状態で、前記移動手段によって移動させられた前記レンズを介して、前記液晶パネルの背面側から光を出射する。
【００１１】
この構成においては、移動手段は、レンズを移動させることで、液晶パネルの輝度を調整する。
以上より、移動手段を用いてレンズの位置を調整することで、鮮明な画像をスクリーンに投影することができる。
【００１２】
（３）前記携帯型電子情報機器は、前記液晶パネルの画像制御を行う画像制御手段と、該液晶パネルの画像を反転させるためのキーを有する操作手段と、を有し、
前記画像制御手段は、前記操作手段でキーが操作されると、前記液晶パネルの画像を左右反転させる制御を行う。
【００１３】
この構成では、ユーザが液晶画面の情報を壁や反射型スクリーン等に投影する場面を想定している。
ここで、上記（１）（２）では、反射型スクリーンに投影した場合、液晶画面の情報は左右反転して投影されてしまう。この構成においては、反射型スクリーンにおいて液晶画面の情報が左右反転して投影されないように、上記画像制御手段は、液晶パネルの画像を予め左右反転している。そのため、ランプから出射されて液晶パネルを透過した光が反射型スクリーンに投影された際、反射型スクリーンに投影された液晶画面の情報は、正しく投影される。これにより、ユーザは、正しい液晶画面の情報を反射型スクリーンで見ることができる。
以上より、反射型スクリーンにおいても、携帯型電子情報機器の液晶画面の情報を持ち主以外のユーザに見せることを容易にすることができる。
なお、上記構成（１）（２）（３）に以下の構成を追加しても良い。これにより、消費電力を低減させることができる。従って、ランニングコストを低下させることができる。
前記携帯型電子情報機器は、前記液晶パネルから分離された状態の前記バックライトユニットが前記の前記差込口に差込まれたことを検知する検知手段と、前記バックライトの電源管理を行う電源管理手段と、を有し、
前記電源管理手段は、前記バックライトユニットが前記差込口に差込まれたことを前記検知手段が検知すると、前記バックライトへの電流供給を停止する。
【００１４】
また、本発明の携帯電話は、前記課題を解決するために以下の構成を備えている。
【００１５】
（４）液晶パネルと、
バックライトが発光した光を前記液晶パネルの背面側から出射するバックライトユニットと、を備え、ホルダに装着可能な携帯電話において、
前記液晶パネルを保持するケースの端部と前記バックライトユニットを保持するケースの端部とをヒンジ結合し、その結合部分を軸にして両者を分離するヒンジ部を備える。
【００１６】
この構成においては、携帯電話は、上記（１）の液晶表示システムに用いられる。
これにより、上記（１）と同様の効果を奏する。
【発明の効果】
【００１７】
この発明によれば、携帯型電子情報機器の液晶画面の情報を持ち主以外のユーザに見せることを容易にすることができる。
【発明を実施するための最良の形態】
【００１８】
以下、本発明の実施形態である液晶表示システムについて説明する。
【００１９】
図１は、本発明の実施形態である液晶表示システムのシステム構成図である。液晶表示システム１は、液晶画面１２Ａを有する携帯電話１０と、携帯電話１０を装着するホルダ５０と、を備える。これらは、携帯電話１０の持ち主４（後述の図２参照）が液晶画面１２Ａの情報を該持ち主４以外のユーザ２に見せる場面を想定して構成されている。例えば、持ち主４が外出先において液晶画面１２Ａの情報を用いたプレゼンテーションを顧客２に対して行う場面である。図１では、液晶画面１２Ａの情報を透過型スクリーン３に投影している様子（矢印６参照）が示されている。
【００２０】
ホルダ５０は、例えば携帯電話の充電器、又は携帯電話の保持台である。携帯電話１０及びホルダ５０は、持ち運びに便利なように、小型化および軽量化されている。
ここで、携帯電話１０が、本発明の「携帯型電子情報機器」に相当する。
【００２１】
図２は、本発明の実施形態である液晶表示システムに用いられる携帯電話の斜視図である。図２（Ａ）は、液晶パネルとバックライトユニットとを分離する前の携帯電話の斜視図である。図２（Ｂ）は、液晶パネルとバックライトユニットとを分離した後の携帯電話の斜視図である。
また、図３は、図２のＳ−Ｓ線における要部断面図である。図３（Ａ）は、図２（Ａ）に対応し、図３（Ｂ）は、図２（Ｂ）に対応している。
【００２２】
図２に示すように、携帯電話１０は、液晶画面１２Ａを含む液晶パネル１２と、ケース１１と、バックライトユニット２０と、ケース２１と、ヒンジ部３０と、種々のキー操作を行うための操作部１３と、を備える。また、図３に示すように、携帯電話１０は、光を発光するバックライト３１を備える。
【００２３】
図３に示すように、液晶パネル１２は、２枚のガラス基板１６Ａ、Ｂと、両ガラス基板１６Ａ、Ｂの間に封入された液晶材１５と、及び両ガラス基板を挟む偏光板１７Ａ、Ｂと、を備える。偏光板１７Ａ、Ｂは、入射光に対して、特定の偏光成分のみを透過させる光学部材である。
なお、この実施形態では、液晶パネル１２の画像制御を行う画像制御手段（後述の図６の制御部１８参照）を省略している。
【００２４】
また、バックライトユニット２０は、バックライト３１からの光を散乱させ、液晶パネル１２を均一に照射する拡散板（不図示）と、液晶パネル１２の輝度を向上するために、拡散板及び導光板２２から出てくる光を集光する集光レンズ（不図示）と、バックライト３１からの光を導光する導光板２２と、バックライト３１の光を反射させて有効利用するための反射板２３と、を備える。
【００２５】
なお、この実施形態では、バックライト３１をバックライトユニット２０から外す構成にしているが、実施を行う際は、バックライト３１をバックライトユニット２０に含める構成にしても良い。
【００２６】
図２（Ａ）、図３（Ａ）に示すように、バックライトユニット２０は、バックライト３１が発光した光を液晶パネル１２の背面側から出射する（矢印５参照）。これにより、携帯電話１０の持ち主４は、撮影した写真や作成した文章などの情報を液晶画面１２Ａで見る（矢印５参照）。また、持ち主４は、液晶画面１２Ａを見ながら、その情報を操作部１３によって編集等する。
【００２７】
また、図２（Ａ）に示すように、ケース１１は、液晶パネル１２を保持するケースである。ケース２１は、バックライトユニット２０を保持するケースである。そして、ヒンジ部３０は、ケース１１、２１の端部をヒンジ結合している。
【００２８】
このため、ケース１１、２１は、その端部（又はヒンジ部３０）を軸にして互いに分離し、ケース１１、２１に保持されている液晶パネル１２及びバックライトユニット２０も、その端部（又はヒンジ部３０）を軸にして互いに分離する。ここで、液晶パネル１２とバックライトユニット２０とを分離すると、携帯電話１０の外観は、図２（Ａ）、図３（Ａ）から図２（Ｂ）、図３（Ｂ）の状態になる。
【００２９】
図４は、本発明の実施形態である液晶表示システムに用いられるホルダの斜視図である。ホルダ５０は、液晶パネル１２から分離された状態のバックライトユニット２０が差込まれる差込口５１と、開口部５２と、を備える。
【００３０】
さらに、ホルダ５０の内部には、開口部５２の開口面５２Ａから開口部５２の奥（ホルダ５０の内部）に向けて、レンズ５６とランプ５５とが順に設けられている。レンズ５６は、拡散レンズである。ランプ５５は、プロジェクタ用のランプである。
【００３１】
なお、この実施形態では、レンズ５６を設けているが、実施を行う際は、設けていなくとも構わない。また、レンズ５６を拡散レンズとしているが、集光レンズでも構わない。
【００３２】
図５は、本発明の実施形態である液晶表示システムにおいて携帯電話をホルダに装着した場合における液晶表示システムの主要部の構成を示す図である。携帯電話１０は、液晶パネル１２から分離された状態のバックライトユニット２０をそのケース２１とともに差込口５１に差込むことによって（図２（Ｂ）、図３（Ｂ）及び図４参照）、ホルダ５０に装着される。携帯電話１０がホルダ５０に装着されると、液晶表示システム１は、図１及び図５に示される状態となる。ここで、差込口５１は、差込まれた状態で該バックライトユニット２０及びケース２１の位置を固定する。
【００３３】
ランプ５５は、携帯電話１０のバックライトユニット２０が差込口５１に差込まれた状態で、携帯電話１０の液晶パネル１２の背面に対向する。
【００３４】
図５では、ランプ５５が、携帯電話１０のバックライトユニット２０が差込口５１に差込まれた状態で、携帯電話１０の液晶パネル１２の背面付近に位置する様子と、ランプ５５と液晶パネル１２との間にレンズ５６が位置する様子と、が示されている。
なお、この実施形態では、レンズ５６を設けているが、実施を行う際は、設けていなくとも構わない。
【００３５】
この状態でホルダ５０のランプ５５を発光させると、ランプ５５は、携帯電話１０のバックライト３１及びバックライトユニット２０の代わりに、液晶パネル１２の背面側から光を出射する。液晶パネル１２を透過した光は、透過型スクリーン３に投影される。これにより、持ち主４以外のユーザ２は、液晶画面１２Ａの情報を透過型スクリーン３で見ることができる。
【００３６】
以上より、携帯電話１０の液晶画面１２Ａの情報を持ち主４以外のユーザ２に見せることを容易にすることができる。また、ユーザ２が画面を見ている際、差込口５１が差込まれた状態でバックライトユニット２０の位置を固定しているので、透過型スクリーン３に投影された液晶画面１２Ａの情報（光像）がぶれることを防止できる。
【００３７】
なお、この実施形態では、携帯電話１０の液晶画面１２Ａの情報を透過型スクリーン３に投影しているが、実施を行う際は、携帯電話１０の液晶画面１２Ａの情報をユーザ２に直接見せても良い。
【００３８】
また、本発明の実施形態は、以下の変形例を採用することができる。
【００３９】
（第１変形例）
図６は、本発明の実施形態の第１変形例である液晶表示システムにおいて携帯電話をホルダに装着した場合における液晶表示システムの主要部の構成を示す図である。図７は、液晶画面の情報を反射型スクリーンに投影した場合にそのスクリーンに表示される光像を示す図である。
【００４０】
第１変形例では、持ち主４が液晶画面１２Ａの情報を反射型スクリーン７に投影する場面を想定している。
ここで、上記実施形態（図１〜５）では、反射型スクリーン７に投影した場合、液晶画面１２Ａの情報は左右反転して投影されてしまう（図７（Ａ）参照）。
【００４１】
そこで、図６に示すように、反射型スクリーン７において液晶画面１２Ａの情報が左右反転して投影されないように、制御部１８は、液晶パネル１２の画像を予め左右反転する。制御部１８は、例えばディジタルシグナルプロセッサで構成される。ここで、操作部１３に、液晶パネル１２の画像を反転させるためのキーを設け、制御部１８は、操作部１３でキーが操作されると、上記左右反転を行う。
【００４２】
そのため、ランプ５５から出射されて液晶パネル１２を透過した光が反射型スクリーン７に投影された際、反射型スクリーン７に投影された液晶画面１２Ａの情報は、正しく投影される（図７（Ｂ）参照）。これにより、ユーザ２は、正しい液晶画面１２Ａの情報を反射型スクリーン７で見ることができる。
【００４３】
以上より、反射型スクリーン７においても、携帯型電子情報機器の液晶画面１２Ａの情報を持ち主４以外のユーザ２に見せることを容易にすることができる。
【００４４】
ここで、制御部１８が、本発明の「画像制御手段」に相当する。
【００４５】
（第２変形例）
図８は、本発明の実施形態の第２変形例である液晶表示システムにおいて携帯電話をホルダに装着した場合における液晶表示システムの主要部の構成を示す図である。ホルダ５０は、レンズ５６をランプ５５に接離する方向に移動させる移動部６０、７０と、その移動量や移動方向を指定する操作部５９と、操作部５９で指定された移動量や移動方向に基づいてその移動を制御する制御部５８と、を有する。
【００４６】
制御部５８は、例えば、マイクロコンピュータで構成される。
移動部６０、７０は、ラック・ピニオン機構により構成されている。具体的には、移動部６０、７０は、直鎖状に歯を取り付けたラック６０Ａ、７０Ａと、回転する歯車であるピニオン６０Ｃ、７０Ｃと、制御部５８の指示に従ってピニオン６０Ｃ、７０Ｃを回転させるモータ６０Ｄ、７０Ｄと、レンズ５６の端部を保持し、ラック６０Ａ、７０Ａに固定されている保持部６０Ｂ、７０Ｂと、を備える。
なお、この実施形態では、移動手段にラック・ピニオン機構を用いているが、実施を行う際は、レンズ５６の位置を調整することができるならば他の機構でも構わない。
【００４７】
モータ６０Ｄ、７０Ｄは、制御部５８の指示に従ってピニオン６０Ｃ、７０Ｃを回転させる。ピニオン６０Ｃ、７０Ｃは、モータ６０Ｄ、７０Ｄによって回転運動を行う。ラック６０Ａ、７０Ａの歯は、ピニオン６０Ｃ、７０Ｃの歯と噛合っている。そして、ラック６０Ａ、７０Ａは、ピニオン６０Ｃ、７０Ｃの回転運動によって、往復運動を行う。この往復運動により、ラック６０Ａ、７０Ａに固定されている保持部６０Ｂ、７０Ｂは、往復運動を行う。
【００４８】
制御部５８は、モータ６０Ｄ、７０Ｄを制御してレンズ５６を移動部６０、７０に移動させることで、液晶パネル１２の輝度を調整する。
そして、ランプ５５は、携帯電話１０のバックライトユニット２０が差込口５１に差込まれた状態で、移動部６０、７０によって移動させられたレンズ５６を介して、液晶パネル１２の背面側から光を出射する。
【００４９】
以上より、レンズ５６の位置を調整することで、鮮明な画像をスクリーンに投影することができる。
【００５０】
ここで、移動部６０、７０、制御部５８が、本発明の「移動手段」に相当する。
なお、この第２変形例は、上記第１変形例にも適用できる。
【００５１】
（第３変形例）
図９は、本発明の実施形態の第３変形例である液晶表示システムにおいて携帯電話をホルダに装着した場合における液晶表示システムの主要部の構成を示す図である。携帯電話１０は、液晶パネル１２から分離された状態のバックライトユニット２０が差込口５１に差込まれたことを検知するコネクタ２４と、バックライト３１の電源管理を行う制御部１９と、を備える。
【００５２】
操作部１３は、バックライト３１への電流供給を停止するための電流供給停止キーを有する。
【００５３】
コネクタ２４は、例えば押圧センサを有する。コネクタ２４は、例えばバックライトユニット２０（反射板２３）の端部に設置される。また、ホルダ５０の差込口５１の開口面５１Ａに対向する対向面５１Ｂは、コネクタ２４を差し込める形状にする（図４参照）。
【００５４】
そして、バックライトユニット２０が差込口５１に差込まれた際、コネクタ２４は、差込口５１の開口面５１Ａに対向する対向面５１Ｂに差し込まれる。この差込によって、コネクタ２４は、バックライトユニット２０が差込口５１に差込まれたことを検知する。検知すると、コネクタ２４は、電気信号を制御部１９に伝送する。
【００５５】
制御部１９は、例えばマイクロコンピュータで構成される。制御部１９は、バックライトユニット２０が差込口５１に差込まれたことをコネクタ２４が検知すると、バックライト３１への電流供給を停止する。
【００５６】
又は、バックライトユニット２０が差込口５１に差込まれた際、ユーザに上記電流供給停止キーを押下してもらう。そして、制御部１９は、その電流供給停止キーの押下によって、バックライト３１への電流供給を停止する。
【００５７】
これにより、消費電力を低減させることができる。従って、ランニングコストを低下させることができる。
【００５８】
ここで、制御部１９が、本発明の「電源管理手段」に相当する。コネクタ２４が、本発明の「検知手段」に相当する。
なお、この第３変形例は、上記第１又は第２変形例にも適用できる。
【図面の簡単な説明】
【００５９】
【図１】本発明の実施形態である液晶表示システムのシステム構成図
【図２】本発明の実施形態である液晶表示システムに用いられる携帯電話の斜視図
【図３】図２のＳ−Ｓ線における要部断面図
【図４】本発明の実施形態である液晶表示システムに用いられるホルダの斜視図
【図５】本発明の実施形態である液晶表示システムにおいて携帯電話をホルダに装着した場合における液晶表示システムの主要部の構成を示す図
【図６】本発明の実施形態の第１変形例である液晶表示システムにおいて携帯電話をホルダに装着した場合における液晶表示システムの主要部の構成を示す図
【図７】液晶画面の情報を反射型スクリーンに投影した場合にそのスクリーンに表示される光像を示す図
【図８】本発明の実施形態の第２変形例である液晶表示システムにおいて携帯電話をホルダに装着した場合における液晶表示システムの主要部の構成を示す図
【図９】本発明の実施形態の第３変形例である液晶表示システムにおいて携帯電話をホルダに装着した場合における液晶表示システムの主要部の構成を示す図
【符号の説明】
【００６０】
１−液晶表示システム
２−ユーザ、顧客
３−透過型スクリーン
４−持ち主
７−反射型スクリーン
１０−携帯電話
１１−ケース
１２−液晶パネル
１２Ａ−液晶画面
１３−操作部
１５−液晶材
１６Ａ−ガラス基板
１６Ａ−両ガラス基板
１７Ａ−偏光板
１８−制御部
１９−制御部
２０−バックライトユニット
２１−ケース
２２−導光板
２３−反射板
２４−コネクタ
３０−ヒンジ部
３１−バックライト
５０−携帯電話ホルダ
５１−差込口
５２−開口部
５５−ランプ
５６−レンズ
５８−制御部
５９−操作部
６０−移動部
【図１】
2007286421.tif 000003
【図２】
2007286421.tif 000004
【図３】
2007286421.tif 000005
【図４】
2007286421.tif 000006
【図５】
2007286421.tif 000007
【図６】
2007286421.tif 000008
【図７】
2007286421.tif 000009
【図８】
2007286421.tif 000010
【図９】
2007286421.tif 000011